(57)【要約】【課題】患者の症状を確認した医療機関のうち、受け入れおよび適切な治療が可能な医療機関を正確に検索して、患者の迅速な搬送と治療を実現可能にする。【解決手段】患者の映像情報を入力する映像情報入力手段１１と、患者の生体情報を入力する生体情報入力手段１２と、入力された映像および生体情報に対応可能な医療機関を医療機関データベース１４を参照して検索する医療機関検索手段１４とを設けて、検索して選んだ医療機関に対し映像情報および生体情報を通信手段１５に送信させる。【選択図】            図１
2004355275.tif 000002
【特許請求の範囲】
【請求項１】
患者の映像情報を入力する映像情報入力手段と、
患者の生体情報を入力する生体情報入力手段と、
入力された患者の映像情報および生体情報に対応可能な医療機関を医療機関データベースを参照して検索する医療機関検索手段と、
検索して選んだ医療機関に対し前記映像情報および生体情報を送信する通信手段とを備えた
ことを特徴とする救急医療用車載装置。
【請求項２】
医療機関側通信手段から送信された前記映像情報および生体情報にもとづいて患者の受け入れが可能との判定結果情報を受けて、地図データベースを参照して最寄り医療用機関を再検索する医療機関再検索手段と、
再検索した医療機関およびその地図情報を表示する表示手段とを備えた
ことを特徴とする請求項１に記載の救急医療用車載装置。
【請求項３】
救急医療用車載装置側から送信された患者の映像情報および生体情報にもとづいてなされたその患者の受け入れが可能か否かの判定結果情報を入力する判定結果情報入力手段と、
判定結果情報を救急医療用車載装置へ送信する医療機関側通信手段とを備えた
ことを特徴とする医療機関装置。
【請求項４】
患者の映像情報を入力する映像情報入力手段と、
患者の生体情報を入力する生体情報入力手段と、
入力された患者の映像情報および生体情報に対応可能な医療機関を医療機関データベースを参照して検索する医療機関検索手段と、
映像情報入力手段、生体情報入力手段および医療機関検索手段とともに救急医療用車載装置に設けられて、検索して選んだ前記医療機関に対し前記映像情報および生体情報を送信する通信手段と、
救急医療用車載装置側から送信された患者の前記映像情報および生体情報にもとづいてなされた、その患者の受け入れが可能か否かの判定結果情報を入力する判定結果情報入力手段と、
判定結果情報入力手段とともに医療機関装置に設けられて、前記判定結果情報を救急医療用車載装置側へ送信する医療機関側通信手段と、
医療機関側通信手段から送信された前記映像情報および生体情報にもとづいて患者の受け入れが可能との判定結果情報を受けて、地図データベースを参照して最寄りの医療用機関を再検索する医療機関再検索手段と、
再検索した医療機関およびその地図情報を救急医療用車載装置側で表示する表示手段とを備えた
ことを特徴とする救急医療機関検索システム。
【発明の詳細な説明】
【０００１】
【発明の属する技術分野】
本発明は、交通事故等において緊急に治療を必要とする患者の搬送を、症状等に合った最寄りの医療機関を検索して行えるようにする救急医療用車載装置、医療機関装置および救急医療機関検索システムに関する。
【０００２】
【従来の技術】
従来の救急医療機関検索システムには、各医療機関の住所、診療科目、空床数などの医療情報を記憶するデータベースにその医療機関が属する地図上の地域を記憶させておき、患者発生場所が属する地図上の地域と診療科目とを指定した検索指令を入力すると、この指定された地域を中心に近い順に指定の診療科目を有する医療機関を検索するものがある（例えば、特許文献１参照）。また、従来の別の救急医療機関検索システムとして、問診センター側の端末が医療機関名データベースから医療機関を選択し、選択された医療機関に関する情報を利用者端末に送信し、一方、利用者端末からの選択された医療機関情報に含まれる医療機関への交通手段を、問診センターが地図データベースを用いて検索し、その交通手段や地図情報を利用者端末へ送信するものがある（例えば、特許文献２参照）。
【０００３】
【特許文献１】
特開平８−２４９４０３号公報
【特許文献２】
特開２００２−３４２４９０号公報
【０００４】
【発明が解決しようとする課題】
しかしながら、前記各公報に記載の従来の救急医療機関検索システムにあっては、患者の症状に該当する診療科目を備えた最寄りの医療機関を検索できるものの、医療機関に対して患者の症状に対応する受け入れ態勢を十分に確認できないという不都合があった。また、このため検索した医療機関に救急車で到着しても、受け入れ拒否を招く場合があるという問題があった。
【０００５】
本発明はこのような従来の問題を解決するものであり、患者の症状を略正確に確認した医療機関のうち、受け入れおよび適切な治療が可能な医療機関を正確に検索して、患者の迅速な搬送と適切な治療を実現可能にする救急医療用車載装置、医療機関装置および救急医療機関検索システムを提供することを目的とする。
【０００６】
【課題を解決するための手段】
前記目的達成のために、請求項１の発明にかかる救急医療用車載装置は、患者の映像情報を入力する映像情報入力手段と、患者の生体情報を入力する生体情報入力手段と、入力された患者の映像情報および生体情報に対応可能な医療機関を医療機関データベースを参照して検索する医療機関検索手段と、検索して選んだ医療機関に対し前記映像情報および生体情報を送信する通信手段とを備えたことを特徴とする。
【０００７】
これにより、救急車を用いて医療機関へ患者を搬送する場合に、予め患者の症状を医療機関へ映像情報および生体情報として正確に伝えることができる。このため、救急車が医療機関到着後に改めて受け入れの可否を判断する時間を短縮することができ、また、医療機関が受け入れることができないとの判定の場合は、再度医療機関を検索する時間およびその医療機関への救急車の移動時間を短縮することができる。
【０００８】
また、請求項２の発明にかかる救急医療用車載装置は、医療機関側通信手段から送信された前記映像情報および生体情報にもとづいて患者の受け入れが可能との判定結果情報を受けて、地図データベースを参照して最寄りの医療用機関を再検索する医療機関再検索手段と、再検索した医療機関およびその地図情報を表示する表示手段とを備えたことを特徴とする。
【０００９】
これにより、映像情報や生体情報にもとづいて選択された最適な医療機関の地図を参照しながら、患者を乗せた救急車をその医療機関に正確、迅速に移動させて、適切な治療や処置が行われるようにすることができる。従って、治療や処置の遅れによる症状の悪化や死亡事故を未然に回避することができる。
【００１０】
また、請求項３の発明にかかる医療機関装置は、救急医療用車載装置側から患者の映像情報および生体情報にもとづいてなされた、その患者の受け入れが可能か否かの判定結果情報を入力する判定結果情報入力手段と、判定結果情報を救急医療用車載装置へ送信する医療機関側通信手段とを備えたことを特徴とする。
【００１１】
これにより、医療機関装置が救急医療用車載装置から受信した情報をもとに、患者の受け入れが可能かどうかを迅速かつ正確に判断して、その判断結果を救急車側に伝えることができる。従って救急救命士は速やかに救急車を患者の症状に対応可能な医療機関へ移動させることができる。
【００１２】
また、請求項４の発明にかかる救急医療機関検索システムは、患者の映像情報を入力する映像情報入力手段と、患者の生体情報を入力する生体情報入力手段と、入力された患者の映像情報および生体情報に対応可能な医療機関を医療機関データベースを参照して検索する医療機関検索手段と、映像情報入力手段、生体情報入力手段および医療機関検索手段とともに救急医療用車載装置に設けられて、検索して選んだ前記医療機関に対し前記映像情報および生体情報を送信する通信手段と、救急医療用車載装置側から送信された患者の映像情報および生体情報にもとづいてなされた、その患者の受け入れが可能か否かの判定結果情報を入力する判定結果情報入力手段と、判定結果情報入力手段とともに医療機関装置に設けられて、前記判定結果情報を救急医療用車載装置側へ送信する医療機関側通信手段と、医療機関側通信手段から送信された前記映像情報および生体情報にもとづいて患者の受け入れが可能との判定結果情報を受けて、地図データベースを参照して最寄りの医療機関を再検索する医療機関再検索手段と、再検索した医療機関およびその地図情報を救急医療用車載装置側で表示する表示手段とを備えたことを特徴とする。
【００１３】
これにより、医療機関では、映像情報および生体情報をもとに患者の受け入れが可能か否かを判定し、その判定結果を救急車側に伝えることができれば、救急車側ではその判定結果をもとにして患者を受け入れることが可能な医療機関へ速やかに移動することができる。この結果、医療機関到着後の受け入れ拒否から他の医療機関へ移動することによる、処置の遅れやこれに起因する症状の悪化、死亡事故を防ぐことができる。
【００１４】
【発明の実施の形態】
以下に、本発明の実施の形態を図について説明する。
【００１５】
図１は本発明の実施の形態による救急医療機関検索システムを示すブロック図である。この救急医療機関検索システムは、救急車に搭載される車載装置１と、複数、ここでは３つの医療機関にそれぞれ設置された医療機関装置３，４，５とを、情報伝達手段としてのネットワーク２を通じて接続したものからなる。
【００１６】
車載装置１は、映像情報入力手段１１、生体情報入力手段１２、医療機関検索手段１３、医療機関データベース（ＤＢ）１４、通信手段１５、医療機関再検索手段１６、地図データベース（ＤＢ）１７および表示手段１８を備えている。
【００１７】
前記映像情報入力手段１１はカメラで撮影した患者の生の映像情報を入力するものである。生体情報入力手段１２は患者の心電図、血圧、救急救命士が入力する諸情報を含む生体情報を入力するものである。医療機関検索手段１３は入力された生体情報にもとづいて、医療機関データベース１４から生体の症状に適した医療機関を検索するものである。
【００１８】
また、通信手段１５は検索された医療機関に対し、映像情報入力手段１１からの患者の映像情報を送信するものである。この通信手段１５は、医療機関装置からの患者の受け入れ可・不可情報などを受信する受信機能も備えている。医療機関再検索手段１６は患者の受け入れが可能と判断した最寄りの医療機関の位置を、地図データベース１７から検索して出力するように機能する。表示手段１８はその検索結果等を画面表示する表示手段である。
【００１９】
一方、前記医療機関装置３，４，５は、それぞれ通信手段３１，４１，５１および判定結果情報入力手段３２，４２，５２を備えている。これらのうち、通信手段３１，４１，５１は車載装置１側からの患者の映像情報や生体情報などの各種情報を受信するとともに、患者の受け入れの可否情報などを車載装置１側へ送信するように機能する。判定結果情報入力手段３２，４２，５２は前記映像情報や生体情報にもとづいて、患者の受け入れが可能か否かを判定するものである。
【００２０】
次に、救急医療機関検索システムの動作について、図２のフローチャートを参照して説明する。
【００２１】
例えば、交通事故が発生した場合には救急車が事故現場に急行し、負債者（患者）を救急車内に収容する。救急救命士は心電図、血圧などを測り、これらを生体情報として、車載装置１の生体情報入力手段１２に入力する（ステップＳ１）。また、この時、映像情報入力手段１１は患者の容態を監視し、映像情報として入力する（ステップＳ２）。次に、医療機関検索手段１３は前記生体情報を受けて、医療機関データベース１４から患者の容態に応じた医療機関を検索する（ステップＳ３）。なお、医療機関データベース１４には診療科目情報、住所情報などにもとづいた患者の症状に対応可能な最寄りの医療機関が記録（登録）されている。
【００２２】
車載装置１では、検索された各医療機関の医療機関装置３，４，５（但し、図２では医療機関装置３のみを示す）に対し前記映像情報および生体情報を通信手段１５を用いて送信する（ステップＳ４）。医療機関装置３，４，５ではこれらの各情報を通信手段３１，４１，５１により受信する（ステップＳ５）。一方、医療機関装置３，４，５においては、空床状況の混雑具合等が監視されており（ステップＳ６）、また専門医師の在、不在の登録等がなされている（ステップＳ７）。従って、医療機関装置３，４，５では前記映像情報および生体情報を受信すると、医師等またはコンピュータがその各情報を参照するとともに、空床状況の混雑具合、専門医師の在、不在の情報をもとにして、患者の受け入れが可能か否かを人為的にまたは自動的に判断する（ステップＳ８）。
【００２３】
そして、患者の受け入れが可能であれば、受け入れ可能情報が、受け入れ不可能であれば受け入れ不可能情報が、判定結果入力手段３２，４２，５２からそれぞれ入力される（ステップＳ９、Ｓ１０）。このため、通信手段３１，４１，５１は前記受け入れ可否情報を車載装置１の通信手段１５に対して行う（ステップＳ１１）。
【００２４】
車載装置１ではその受け入れの可否情報を通信手段１５で受信し（ステップＳ１２）、医療機関再検索手段１６が患者の受け入れ可能な医療機関の中から救急車に最も近い医療機関を再検索する（ステップＳ１３）。このとき、地図データベース１７を用いてその最も近い医療機関の地図情報が検索される。このようにして検索された医療機関およびその地図情報は表示装置１８に入力されて画面上に表示される（ステップＳ１４）。このため、救急救命士はこの画像表示を監視しながら救急車を目的の医療機関へ走らせることができる（ステップＳ１５）。
【００２５】
このように、救急車に予め患者の症状を医療機関に伝えることで、医療機関では、その情報をもとに患者の受け入れが可能かを判定し、その判定結果を救急車側に伝えることができる。救急車側ではその判定結果をもとにして、患者を受け入れることが可能な医療機関へ直接移動することができる。このため、医療機関到着後の受け入れ拒否から他の医療機関へ移動することによる、処置の遅れやこれに起因する症状の悪化、死亡事故を防ぐことができる。
【００２６】
なお、前記においては医療機関装置が３つの場合について述べたが、２つ又は４つ以上の場合にも同様にして救急医療機関の検索を行えるものである。
【００２７】
【発明の効果】
以上のように、本発明に係わる救急医療機関検索システムによれば、救急車を用いて医療機関へ患者を搬送する場合に、予め医療機関がその患者を受け入れることが可能か否かを、患者の症状をその医療機関へ正確に伝える。これにより、受け入れ可能との判定結果が救急車側に回答されたとき、その回答結果にもとづき最寄りの医療機関を選定することで、患者の搬送にかかる時間を最短なものとし、症状の悪化、死亡事故等を防ぐことができる、という効果が得られる。
【図面の簡単な説明】
【図１】本発明の実施の一形態による救急医療機関検索システムを概念的に示すブロック図
【図２】図１に示す救急医療機関検索システムの動作の流れを示すフローチャート
【符号の説明】
１：車載装置、２：ネットワーク、３，４，５：医療機関装置、１１：映像情報入力手段、１２：生体情報入力手段、１３：医療機関検索手段、１４：医療機関データベース、１５，３１，４１，５１：通信手段、１６：医療機関再検索手段、１７：地図データベース、１８：表示手段、３２，４２，５２：判定結果情報入力手段。
【図１】
2004355275.tif 000003
【図２】
2004355275.tif 000004